(57)【要約】【課題】ＲＦＩＤとして機能する近距離無線通信端末を用意した場合に、いずれの方向でカード・リーダに近接させた場合であっても、通信性能を改善できる構造とする。【解決手段】コイルアンテナ１２を平面状に保持する保持部材１１の両面に、第１及び第２の磁性材シート２１，２２を配置する。第１の磁性体シート２１は、保持部材１１の一方の面の、コイルアンテナ１２が保持された領域の一部を覆うように配置される。第２の磁性体シート２２は、保持部材１１の他方の面の、コイルアンテナ１２が保持された領域の一部を覆うように配置され、その覆う範囲が、第１の磁性体シート２１で覆われる範囲とは重ならない範囲とした。【選択図】図２
2010147913.tif 000002
【特許請求の範囲】
【請求項１】
所定の周波数の搬送波を出力させるリーダ・ライタと近接させて、近距離無線通信を行う近距離無線通信端末において、
近接したリーダ・ライタと無線通信を行うコイルアンテナと、
前記コイルアンテナに接続された通信回路部と、
前記コイルアンテナを平面状に保持する保持部材と、
前記保持部材の一方の面の、前記コイルアンテナが保持された領域の一部を覆うように配置された第１の磁性体シートと、
前記保持部材の他方の面の、前記コイルアンテナが保持された領域の一部を覆うように配置され、その覆う範囲が、前記第１の磁性体シートで覆われる範囲とは重ならない範囲とした第２の磁性体シートとを備えたことを特徴とする
近距離無線通信端末。
【請求項２】
請求項１記載の近距離無線通信端末において、
前記第１の磁性体シートは、前記保持部材で保持されたコイルアンテナが３６０°巻回された内の、第１の角度範囲のコイルアンテナを覆うように配置し、
前記第２の磁性体シートは、前記第１の角度範囲とは重ならない第２の角度範囲のコイルアンテナを覆うように配置したことを特徴とする
近距離無線通信端末。
【請求項３】
請求項１記載の近距離無線通信端末において、
前記第１の磁性体シートは、前記保持部材に平面状に保持されたコイルアンテナの内の、全周の第１の範囲のコイルアンテナを覆うように配置し、
前記第２の磁性体シートは、前記第１の範囲とは重ならない全周の第２の範囲のコイルアンテナを覆うように配置したことを特徴とする
近距離無線通信端末。
【発明の詳細な説明】
【技術分野】
【０００１】
本発明は、非接触型のＩＣカードやＩＣタグ等と称される、近距離無線通信機能を備えた近距離無線通信端末に関する。
【背景技術】
【０００２】
近年、交通機関の乗車券、会員証や社員証、店舗などでの代金決済手段用のカード等として、非接触型のＩＣカードの利用が急速に広まっている。非接触型のＩＣカードは、近接したリーダ・ライタとの間で無線通信を行って、認証処理を行うので、財布やパスケースなどの中に入れたままで使用でき、磁気カードなどに比べて使い勝手がよい。
【０００３】
また、このような非接触型のＩＣカード（或いはＩＣカードと同等の機能の回路部品）を、携帯電話端末などの携帯用の電子機器に内蔵させて、これらの機器を使用して、同様の認証や決済を行えるようにしたものも実用化されている。なお、携帯端末にＩＣカード機能部を組み込む場合などには、ＩＣカード機能部が必ずしもカード型の形状をしているとは限らないが、以下の説明ではＩＣカードと称した場合、特に説明がない限りはＩＣカード機能を有する部分を含むものである。また、この種の非接触型のＩＣカードは、ＲＦＩＤ（Radio Frequency Identification）や無線ＩＣタグなどとも称され、単体で使用される場合でもカード型以外にラベル型、コイン型、スティック型など、カード型以外の種々の形状のものが想定されるが、本明細書では便宜上ＩＣカードと称する。また、非接触ＩＣカードを構成するチップ回路やアンテナなどの機能部を、ＲＦＩＤ機能部と称する。
【０００４】
ＲＦＩＤ機能部がリーダ・ライタと無線通信を行う場合には、リーダ・ライタからの電磁誘導で、ＲＦＩＤ機能部が作動するようにしてある。即ち、ＩＣカード側では、リーダ・ライタが出力する所定の周波数の搬送波に同調させる処理を行って、その検出された搬送波をＡＳＫ(Amplitude shift keying)変調などで変調して、リーダ・ライタ側にデータを送るようしてある。ＡＳＫ変調は、デジタル信号を搬送波の振幅の違いで表わす振幅変調である。
【０００５】
図６は、リーダ・ライタとＩＣカードとの通信状態の概要を示した図である。この図に示すように、リーダ・ライタ１は、ループアンテナ２を備えて、所定の周波数の搬送波Ｆ１（ｘ）を送信する。ＩＣカード３についてもループアンテナ４を備え、そのループアンテナ４でＡＳＫ変調された応答波形Ｆ２（ｘ）を送信し、リーダ・ライタ１のループアンテナ２は、搬送波Ｆ１（ｘ）と応答波形Ｆ２（ｘ）の合成波を受信する。
【０００６】
このようなＩＣカードの使い方の１つとして、スマートポスタと称されるものがある。図７は、このスマートポスタの使用例を示した図である。屋外の駅などに掲示されるポスタ５の縁や脇などに、ＩＣカード３を設置する。そして、ポスタ５を見た利用者が所持するリーダ・ライタ１を、ＩＣカード３に近接させて無線通信を行い、ＩＣカード３に用意された情報を、リーダ・ライタ１に無線で転送する。利用者が所持するリーダ・ライタ１は、例えば携帯電話端末などの電子端末に内蔵されたリーダ・ライタが想定される。
【０００７】
このようなスマートポスタを用意することで、掲示されたポスタと関係した情報を利用者が所持したリーダ・ライタに送ることができる。例えば、お店の案内をポスタに記載すると共に、その店の詳細な地図や営業時間などの情報をリーダ・ライタに配信するなどして、ポスタを見て興味を持った人に、詳細な情報を簡単に配信できるようになるリーダ・ライタが携帯電話端末に内蔵させてある場合には、その携帯電話端末の表示パネルでその配信を受けた情報を表示させることができる。表示パネルを備えない単体のリーダ・ライタの場合には、利用者が所持したパーソナルコンピュータ装置などに接続させて、配信を受けた情報を読み出すことができる。
【０００８】
特許文献１には、非接触型のＩＣカードの一例についての開示がある。
【特許文献１】特開２００８−１３１１１６号公報
【発明の開示】
【発明が解決しようとする課題】
【０００９】
ＩＣカードのＲＦＩＤ機能部がリーダ・ライタと無線通信を行う場合には、上述したように、リーダ・ライタからの電磁誘導で作動するので、基本的には、ＩＣカードに組み込まれたアンテナと無線通信回路部とが、出来るだけ近接した状態とすることで、正しく無線通信ができる。ところが、無線通信であるため、ＩＣカードに近接して金属板が存在した場合などには、ＲＦＩＤ機能部とリーダ・ライタとが近接した場合であっても、正しく通信ができない場合がある。
【００１０】
このような場合における、ＲＦＩＤ機能部とリーダ・ライタとの無線通信状態を改善する技術として、磁性材シートをＩＣカードに近接して配置する技術が知られている（特許文献１参照）。
ここで、図８を参照して、リーダ・ライタとＩＣカードとの無線通信状態が、磁性材シートにより改善されることについて説明する。図８は、ＩＣカード側のアンテナとリーダ・ライタ側のアンテナとをそれぞれ断面で示した図である。
図８（ａ）は、リーダ・ライタ１とＩＣカード３とを近接した場合の磁束ループを示した図である。この図８（ａ）の例は通常の通信状態の例であり、金属板や磁性体シートはない状態である。
【００１１】
この図８（ａ）に示すように、リーダ・ライタ１のコイルアンテナ２により磁束ループが生じている。この磁束ループが、ＩＣカード３のコイルアンテナ４まで達して、ＩＣカード３を貫通することで、コイルアンテナ４でリーダ・ライタ１からの信号を受けることが可能となる。
【００１２】
図８（ｂ）は、ＩＣカード３の近くに金属板６がある場合の例である。
この場合には、ＩＣカード３側では渦電流による磁界が発生して、リーダ・ライタ１のコイルアンテナ２により生じる磁束ループが、ＩＣカード３のコイルアンテナ４には到達しない状態となっている。即ち、図中の貫通しない磁束ループとして示すように、ＩＣカード３を貫通していない磁束ループとなり、無線通信が阻害されている。従って、図８（ｂ）に示す状態では、金属板６の影響で、無線通信が正常にできない状態になっている。
【００１３】
図８（ｃ）は、ＩＣカード３に磁性材シート７を貼り合わせた上で、金属板６に近接させた状態を示している。この状態では、金属板６が近接している点は図８（ｂ）の例と同じであるが、磁性材シート７がＩＣカード３に貼り合わせてある。このため、磁性材シート７を磁束が通過するようになり、磁束ループがＩＣカード３のコイルアンテナ４の周囲を貫通する状態となる。従って、図８（ｃ）に示すようにＩＣカード３の裏面（ここでの裏面とはリーダ・ライタ１と近接した面は反対側の面）に磁性材シート７があることで、金属板６が近接していても、良好な無線通信が可能となる。
【００１４】
このようにＩＣカードの片面に磁性材シートを貼付けたり、或いはカードケースの片面に磁性材シートを配置することで、リーダ・ライタとＩＣカードとの無線通信状態を改善できることが知られている。
ところが、磁性材シートによる効果があるのは、磁性材シートが裏面側、即ち、リーダ・ライタ１と近接した面は反対側の面にある場合に限られる。
即ち、図９に示すように、ＩＣカード３の片面に配置した磁性材シート７を、リーダ・ライタ１に向いた面とした場合には、リーダ・ライタ１のコイルアンテナ２からの磁束ループは、磁性材シート７を通過してコイルアンテナ２側に戻るようになり、磁性材シート７とは反対側の面のコイルアンテナ４には、磁束ループが到達しなくなってしまう。従って、ＩＣカード３を図８（ｃ）に示すようにある方向に向けた場合には、無線通信状態が改善されるが、図９に示すように、それとは逆方向に向けた場合には、無線通信ができない状態となってしまう。
【００１５】
このように近距離無線通信ができるカードの向きに方向性があるということは、日常的にＩＣカードを使用する上で、常に向きに注意して、ＩＣカードに近づける必要があり、必ずしも使い勝手がよいとは言えない問題があった。例えば、図７に示したようなスマートポスタとして使われるＩＣカードを設置した際に、そのＩＣカードに近接して金属板がある場合（例えばポスタが金属板に貼られた場合）には、磁性材シートで通信性能を改善させようとしても、ＩＣカードに磁性材シートが貼られた向きを注意しないと、通信性能の改善が出来ないだけでなく、無線通信性能の悪化を招いてしまう問題がある。
【００１６】
本発明はかかる点に鑑みてなされたものであり、ＲＦＩＤとして機能する近距離無線通信端末を用意した場合に、いずれの方向でカード・リーダに近接させた場合であっても、通信性能を改善できる構造を提供することを目的とする。
【課題を解決するための手段】
【００１７】
本発明は、所定の周波数の搬送波を出力させるリーダ・ライタと近接させて、近距離無線通信を行う近距離無線通信端末に適用される。
構成としては、近接したリーダ・ライタと無線通信を行うコイルアンテナと、コイルアンテナに接続された通信回路部と、コイルアンテナを平面状に保持する保持部材と、第１及び第２の磁性材シートとを備える。
第１の磁性体シートは、保持部材の一方の面の、コイルアンテナが保持された領域の一部を覆うように配置される。
第２の磁性体シートは、保持部材の他方の面の、コイルアンテナが保持された領域の一部を覆うように配置され、その覆う範囲が、第１の磁性体シートで覆われる範囲とは重ならない範囲とした。
【００１８】
本発明によると、コイルアンテナを平面状に保持する保持部材の一方の面の一部を、第１の磁性材シートで覆い、保持部材の他方の面の一部を、第２の磁性材シートで覆う構成としたことで、この近距離無線通信端末をリーダ・ライタに近接させた際には、保持部材のいずれの面をリーダ・ライタと近接させた場合でも、そのリーダ・タイタと近接してない方の面の一部に磁性材シートが配置されることになる。
【発明の効果】
【００１９】
本発明によると、いずれの面をリーダ・ライタに近接させた場合でも、そのリーダ・タイタと近接してない方の面の一部に磁性材シートが配置されることになり、その磁性材シートの作用で、リーダ・ライタからの磁束ループが、近距離無線通信端末側のコイルアンテナを貫通するようになり、無線通信が良好に行えるようになる。
従って、本発明の近距離無線通信端末は、リーダ・ライタに近接させて無線通信を行う際に、無線通信感度に方向性を持たなくなり、どの面をリーダ・ライタに近接させても良好に無線通信できるため、利用者はリーダ・ライタに近接させる面を意識する必要がなくなり、この種の近距離無線通信端末の使い勝手が向上する。
【発明を実施するための最良の形態】
【００２０】
以下、本発明の第１の実施の形態の例を、図１〜図３を参照して説明する。
【００２１】
本実施の形態の例（以下本例と称する）においては、ＲＦＩＤ機能部を備えた非接触型のＩＣカードとして近距離無線通信端末を構成させた例としてある。非接触型のＩＣカードは、背景技術の欄で説明したように、リーダ・ライタに近接させて無線通信を行うものである。リーダ・ライタとＩＣカードとが通信可能な距離としては、例えば数ｃｍから数十ｃｍ程度の非常に近接した距離である。リーダ・ライタとＩＣカードとの間で無線通信を行う周波数としては、例えば１３．５６ＭＨｚなどの搬送波が使用される。なお、本実施の形態で適用されるＩＣカードは、リーダ・ライタからの電波で作動するいわゆるパッシブ型のものであり、本実施の形態においては、このようなものを近距離無線通信端末と称している。パッシブ型のＩＣカード（通信端末）は、通常は電池などを内蔵せず、リーダ・ライタから受信した信号を整流してコンデンサに蓄積させて、端末内を作動させる電源を得る構成であるが、電池などの電源供給部を内蔵した構成でもよい。
【００２２】
図１は本例の近距離無線通信端末としてのＩＣカードの例を示した図であり、図２は図１の各部材を分解して示した図である。
図１に示すように、本例のＩＣカード１０は、薄板状で厚さが１ｍｍ程度の合成樹脂で構成されたベース素材１１に、各部を配置してＩＣカードとして構成させてある。即ち、図２に分解して示すように、ベース素材１１の一方の面には、コイルアンテナ１２とそのコイルアンテナ１２に接続されたＩＣチップ１３とを配置してある。このＩＣチップ１３は、リーダ・ライタとの近距離無線通信に必要な回路が構成させてあり、コイルアンテナ１２とＩＣチップ１３とで、ＲＦＩＤ機能部が構成させてある。コイルアンテナ１２は、ベース素材１１の表面の縁に沿って、所定回だけ巻回させる構成としてあり、薄膜パターンや線材などで構成される。
【００２３】
図２の例では、これらのＲＦＩＤ機能部は、ベース素材１１の上に配置してあるが、ベース素材１１の内部に埋め込む構成でもよい。また、ＲＦＩＤ機能部が必要とする薄膜コンデンサなどの他の部材についても、ベース素材１１に配置するようにしてもよい。
【００２４】
そして本例においては、図２に示すように、コイルアンテナ１２を配置した側のベース素材１１の表面の一端寄りに、第１の磁性材シート２１を張り付けてある。
また、コイルアンテナ１２を配置した側とは反対側のベース素材１１の面である裏面の他端寄りに、第２の磁性材シート２２を張り付けてある。
この第１，第２の磁性材シート２１，２２は、例えば高透磁率・低磁気損失の軟磁性金属粉末を充填させて成形させた、非常に厚さの薄い樹脂シートで構成させてある。
【００２５】
ＩＣカード１０を平面的に見た場合、この第１の磁性材シート２１を張り付けた位置（配置した位置）と、第２の磁性材シート２２を張り付けた位置（配置した位置）とは重ならないようにしてある。さらに、ＩＣカード１０を平面的に見た場合に、第１の磁性材シート２１と第２の磁性材シート２２の双方ともに配置されない箇所が生じる配置状態としてある。
【００２６】
具体的には、ベース素材１１の表面側の一端（図１での右側）から例えば１〜２ｃｍ程度の範囲まで、第１の磁性材シート２１で覆うようにし、また、ベース素材１１の裏面側の他端（図１での左側）から例えば〜２ｃｍ程度の範囲まで、第２の磁性材シート２２で覆うようにする。この両磁性材シート２１，２２が配置された箇所は、ベース素材１１の端部でコイルアンテナ１２が配置された箇所と重なる位置としてある。そして、コイルアンテナ１２の中央部が配置された箇所については、いずれの磁性材シート２１，２２とは重ならない領域となっている。なお、それぞれの磁性材シート２１，２２は、コイルアンテナ１２を構成する薄膜または線材と絶縁した状態で配置してある。
【００２７】
さらに、図２に示すように、第１の磁性材シート２１が張られた上から、保護フィルム３１を張って、ＩＣカード１０の表面が平滑になるようにしてある。裏面側についても、第２の磁性材シート２２が張られた上から、保護フィルム３２を張って、ＩＣカード１０の裏面が平滑になるようにしてある。
なお、磁性材シート２１，２２を配置した箇所と、これらの磁性材シート２１，２２を配置していない箇所とのカードの厚さが変化しないように、何らかの部材（シート）を配置するようにしてもよい。
【００２８】
図３は、本例のＩＣカード１０とリーダ・ライタ１とを近接させて無線通信が行われる状態を、ＩＣカード１０を断面で示したものである。図３では、ＩＣカード１０は、図１に示した表面を下側としてリーダ・ライタ１と近接させてあり、裏面が上側となっている。また、ＩＣカード１０に近接して金属板６が配置されている状態を想定している。
本例のＩＣカード１０の場合には、リーダ・ライタ１と向き合った面に磁性材シート２１が配置された箇所（図３での左側）では、その磁性材シート２１と重なった位置のコイルアンテナ１２には、リーダ・ライタ１のコイルアンテナ２からの磁束ループ（図３での左側の磁束ループ）は、磁性材シート２１があるために、その磁性材シート２１を流れて、コイルアンテナ１２までは到達しない。
【００２９】
一方、リーダ・ライタ１と向き合った面とは反対側の面に磁性材２２が配置された箇所（図３の右側）では、コイルアンテナ１２の背面（図３での上側）に磁性材シート２２が配置されているために、磁束ループが磁性材シート２２を通過することで、コイルアンテナ１２の周りに磁束ループが生じて、コイルアンテナ１２でリーダ・ライタ１からの信号を受信できることになる。
従って、金属板６がＩＣカード１０またはリーダ・ライタ１に近接していても、良好に無線通信が可能となる。
【００３０】
そして、ＩＣカード１０の裏面をリーダ・ライタ１と近接させた場合を想定すると、この場合には、図３に示した第１の磁性材シート２１と第２の磁性材シート２２との位置関係が逆になるだけである。従って、第１の磁性材シート２１が配置された箇所で、リーダ・ライタ１からの磁束ループが、コイルアンテナ１２の周囲を通過するようになる。逆に、第２の磁性材シート２２が配置された箇所では、その磁性材シート２２で磁束ループの通過が阻止されるようになる。
従って、ＩＣカード１０の向きを反対側とした場合にも、図３に示した状態と同様の状態で、コイルアンテナ１２でリーダ・ライタ１からの信号を受信できることになる。
【００３１】
また、ＩＣカードに金属板が近接していない通常の無線通信状態については、磁性体シート２１，２２が配置されていない箇所のコイルアンテナ１２で確保される。
即ち、上述したように、磁性材シート２１が配置された範囲ａ（図１参照）は、金属板が近接した状態で、ＩＣカード１０の裏面（図１の下側の面）にリーダ・ライタ１を近接させた場合に、磁性材シート２１の影響で磁束が良好に通過する範囲となる。
磁性材シート２２が配置された範囲ｂ（図１参照）は、金属板が近接した状態で、ＩＣカード１０の表面（図１の上側の面）にリーダ・ライタ１を近接させた場合に、磁性材シート２２の影響で磁束が良好に通過する範囲となる。
さらに、磁性材シート２１と磁性材シート２２の双方が配置されていない中央部の範囲ｃ（図１参照）があることで、その範囲ｃのコイルアンテナ１２で、金属板が近接していない状況でのリーダ・ライタ３との無線通信が良好に行える。即ち、一般的な使用環境においても感度劣化を生じさせないで、良好な近距離無線通信が可能となる。
【００３２】
このように本例のＩＣカード１０によると、磁性材シート２１，２２を配置したことで、リーダ・ライタ１と近接させて無線通信を行う際に、金属板が近接して場合であっても、磁性材シート２１又は２２の作用で、無線通信を良好に行うことができる。そして、２つの磁性材シート２１，２２の配置する面を別の面として、さらにそれぞれの配置位置が重ならないようにしてあることで、表面と裏面のいずれの面をリーダ・ライタ１に近接させても良好に無線通信が行えるようになる。従って本例のＩＣカード１０を所持する利用者は、リーダ・ライタ１に近接させる際に、カードの向きを考慮する必要がなくなり、ＲＦＩＤとしてのＩＣカードの使い勝手が向上する。
【００３３】
次に、本発明の第２の実施の形態を、図４及び図５を参照して説明する。図４及び図５において、第１の実施の形態で説明した図１〜図３に対応した部分については同一符号を付し、その詳細説明は省略する。
【００３４】
本実施の形態においても、リーダ・ライタと近距離無線通信を行うＩＣカードに適用した例としてある。
【００３５】
図４は、本実施の形態におけるＩＣカード１０′の構成を示した斜視図であり、図５は図４のＶ−Ｖ線に沿う断面図である。図４（ａ）は表面側を示した図であり、図４（ｂ）は裏面側を示した図である。
本例においては、ＩＣカード１０′として、ベース素材１１の表面にコイルアンテナ１２などのＲＦＩＤ機能部を配置する。そして、そのコイルアンテナ１２の配置箇所の全周の内側の所定範囲を覆うように、表面側に１周の帯状の第１の磁性材シート４１を配置する。さらに、コイルアンテナ１２の配置箇所の外側の所定範囲を覆うように、ベース素材１１の裏面側に１周の帯状の第２の磁性シート４２を配置する。
【００３６】
図５に断面で示すように、第１の磁性材シート４１の配置位置と、第２の磁性材シート４２の配置位置は、上下に重ならない位置としてあり、さらにコイルアンテナ１２の配置位置の残りの部分（中央部分）の範囲ｘについては、上下にいずれの磁性材シート４１，４２も配置されていない状態である。この範囲ｘは、コイルアンテナ１２の全周に亘って設けてある。また、本例のＩＣカード１０′についても、図１例と同様に、表面と裏面には、それぞれ保護フィルムを配置するようにしてもよい。
【００３７】
この図４及び図５に示すように構成したことでも、図３に示した通信状態と同様に、ＩＣカード１０′の表面側をリーダ・ライタと近接させた場合と、裏面側をリーダ・ライタと近接させた場合のいずれでも、良好に近距離無線通信が行える効果を有する。さらに、第１，第２の磁性材シート４１，４２のいずれも配置されていないコイルアンテナ１２の範囲ｘがあることで、金属板が近接していない一般的な使用環境においても、感度劣化を生じさせない良好な近距離無線通信が可能となる。なお、コイルアンテナ１２の磁性材シートで覆われない範囲ｘについては、金属板が近接していない一般的な使用環境でアンテナの感度を確保できる程度の範囲とする必要がある。
【００３８】
なお、上述した各実施の形態では、薄板状のＩＣカードとして構成させた近距離無線通信端末の例について説明したが、同様の処理部を備えた通信端末であれば、カード型以外のその他の形状のものにも適用可能である。例えば、携帯電話端末装置に内蔵されたＲＦＩＤ部のコイルアンテナの配置箇所の一方の面と他方の面に、磁性材シートを互い違いに配置するようにしてもよい。また、携帯電話端末装置以外の機器に内蔵されたＲＦＩＤ部にも適用可能である。
単体のＲＦＩＤとして構成されたものの場合でも、コイルアンテナの表面側の一部と裏面側の一部とを、それぞれ個別に磁性材シートで覆うようにすれば、その他の形状の構成のものにも適用可能である。
【図面の簡単な説明】
【００３９】
【図１】本発明の第１の実施の形態の例によるＩＣカードを示す斜視図である。
【図２】本発明の第１の実施の形態の例によるＩＣカードを分解して示す分解斜視図である。
【図３】本発明の第１の実施の形態による無線通信状態の例を示す説明図である。
【図４】本発明の第２の実施の形態の例によるＩＣカードを示す斜視図であり、（ａ）は表面側の例を示し、（ｂ）は裏面側の例を示した図である。
【図５】図４のＶ−Ｖ線に沿う断面図である。
【図６】リーダ・ライタとＩＣカードとの無線通信状態の例を示す説明図である。
【図７】スマートポスタの例を示す説明図である。
【図８】リーダ・ライタとＩＣカードとの通信状態の例を断面で示した説明図で、（ａ）は通常の通信状態、（ｂ）は金属板が近くにある場合の通信状態、（ｃ）は磁性材シートが貼られている場合の通信状態を示した図である。
【図９】磁性材シートが邪魔して無線通信ができない状態を示した説明図である。
【符号の説明】
【００４０】
１…リーダ・ライタ、２…コイルアンテナ、３…ＩＣカード、４…コイルアンテナ、６…金属板、１０，１０′…ＩＣカード、１１…ベース素材、１２…コイルアンテナ、１３…ＩＣチップ、２１，２２…磁性材シート、３１，３２…保護フィルム、４１，４２…磁性材シート
【図１】
2010147913.tif 000003
【図２】
2010147913.tif 000004
【図３】
2010147913.tif 000005
【図４】
2010147913.tif 000006
【図５】
2010147913.tif 000007
【図６】
2010147913.tif 000008
【図７】
2010147913.tif 000009
【図８】
2010147913.tif 000010
【図９】
2010147913.tif 000011